(57)【要約】      （修正有）【課題】高い安全性を有するだけでなく、故障点の位置決め精度が高い配電網接地故障検出システムを提供する。【解決手段】配電網接地故障検出システムは、配電網回線に接続されたボックス２、ボックス２内にインストールされた変圧器４、高電圧真空ＡＣコンタクタ３、高圧抵抗器５及び信号ソース装置を備える。変圧器４が、ゼロシーケンス電圧が所定値を超えることを検出した場合、対応する相の高電圧真空ＡＣコンタクタ３が閉じる。これにより、信号ソース装置が１つのＤＣ脈動電流信号を生成し、故障相回線の負荷電流と重ね合わせる。配電網回線に故障インジケータが設けられ、故障インジケータが該ＤＣ脈動電流信号を検出した後に自動的にフロップして、接地故障点の位置するコンセント、分岐及びセグメントを示す。【選択図】図１
0003228002.tif 000002
【実用新案登録請求の範囲】
【請求項１】
配電網接地故障検出システムであって、配電網回線に接続されたボックス、ボックス内にインストールされた変圧器、高電圧真空ＡＣコンタクタ、高圧抵抗器及び信号ソース装置を備え、前記変圧器がバスのゼロシーケンス電圧を検出することに用いられ、前記高圧抵抗器に高電圧ダイオードが直列に接続されて接地し、変圧器が、ゼロシーケンス電圧が所定値を超えることを検出した場合、対応する相の高電圧真空ＡＣコンタクタが閉じ、これにより、高電圧ダイオードと高圧抵抗器がアースを介して故障相回線と他の健全相回線の間に接続され、前記信号ソース装置が１つのＤＣ脈動電流信号を生成し、故障相回線の負荷電流と重ね合わせることに用いられ、前記配電網回線に故障インジケータが設けられ、前記故障インジケータが該ＤＣ脈動電流信号を検出した後に自動的にフロップして、接地故障点の位置するコンセント、分岐及びセグメントを示すことを特徴とする配電網接地故障検出システム。
【請求項２】
前記高電圧真空ＡＣコンタクタには過負荷保護モジュールが設けられることを特徴とする請求項１に記載の配電網接地故障検出システム。
【請求項３】
三相高電圧真空ＡＣコンタクタの制御回路は電気的にインターロックされることを特徴とする請求項２に記載の配電網接地故障検出システム。
【請求項４】
前記ボックスには避雷器がインストールされることを特徴とする請求項１に記載の配電網接地故障検出システム。
【請求項５】
前記ボックスはオーバーヘッドポールタワーにインストールされることを特徴とする請求項１に記載の配電網接地故障検出システム。
【請求項６】
前記ボックスの上部には配電網回線を通過させるための壁ブッシングが設けられることを特徴とする請求項１に記載の配電網接地故障検出システム。
【請求項７】
前記信号ソース装置には遅延回路が設けられ、変圧器が接地故障を検出した場合、遅延回路は１０秒遅延してＤＣ脈動電流信号を発すように信号ソース装置を制御することを特徴とする請求項１−６のいずれか一項に記載の配電網接地故障検出システム。
【請求項８】
前記信号ソース装置にもショートメッセージ警告モジュールが設けられ、信号ソース装置がＤＣ脈動電流信号を発した後に、前記ショートメッセージ警告モジュールは指定された端末に警告ショートメッセージを送信することを特徴とする請求項７に記載の配電網接地故障検出システム。
【請求項９】
前記信号ソース装置にも故障記録モジュールが設けられることを特徴とする請求項７に記載の配電網接地故障検出システム。
【請求項１０】
前記信号ソース装置の信号グラウンドと保護グラウンドは別々に設けられることを特徴とする請求項７に記載の配電網接地故障検出システム。
【考案の詳細な説明】
【技術分野】
【０００１】
本考案は電力機器技術分野に関し、特に配電網接地故障検出システムに関する。
【背景技術】
【０００２】
現在の市販されている接地故障検出システムでは、個々の低抵抗接地システムを除くほとんどのシステムがアーク抑制コイルによって接地し又は接地しないシステムであり、非有効接地システムと呼ばれ、故障が正確に位置決めされることは困難であり、且つ現在の市販されている故障点検出装置は空間電磁界の影響を受け、適用性及び精度が好ましくない。
【考案の概要】
【考案が解決しようとする課題】
【０００３】
本考案が解決しようとする技術的問題は、故障の正確な位置決めを実現する配電網接地故障検出システムを提供することである。
これを鑑みて、
【課題を解決するための手段】
【０００４】
上記技術的問題を解決するために、本考案は次の技術的解決策を採用する。配電網接地故障検出システムは、配電網回線に接続されたボックス、ボックス内にインストールされた変圧器、高電圧真空ＡＣコンタクタ、高圧抵抗器及び信号ソース装置を備え、前記変圧器がバスのゼロシーケンス電圧を検出することに用いられ、前記高圧抵抗器に高電圧ダイオードが直列に接続されて接地し、変圧器が、ゼロシーケンス電圧が所定値を超えることを検出した場合、対応する相の高電圧真空ＡＣコンタクタが閉じ、これにより、高電圧ダイオードと高圧抵抗器がアースを介して故障相回線と他の健全相回線の間に接続され、前記信号ソース装置が１つのＤＣ脈動電流信号を生成し、故障相回線の負荷電流と重ね合わせることに用いられ、前記配電網回線に故障インジケータが設けられ、前記故障インジケータが該ＤＣ脈動電流信号を検出した後に自動的にフロップして、接地故障点の位置するコンセント、分岐及びセグメントを示す。
【０００５】
好ましくは、前記高電圧真空ＡＣコンタクタには過負荷保護モジュールが設けられる。
好ましくは、三相高電圧真空ＡＣコンタクタの制御回路は電気的にインターロックされる。
【０００６】
好ましくは、前記ボックスには避雷器がインストールされる。
好ましくは、前記ボックスはオーバーヘッドポールタワーにインストールされる。
好ましくは、前記ボックスの上部には配電網回線を通過させるための壁ブッシングが設けられる。
【０００７】
好ましくは、前記信号ソース装置には遅延回路が設けられ、変圧器が接地故障を検出した場合、遅延回路は１０秒遅延してＤＣ脈動電流信号を発すように信号ソース装置を制御する。
【０００８】
好ましくは、前記信号ソース装置にもショートメッセージ警告モジュールが設けられ、信号ソース装置がＤＣ脈動電流信号を発した後に、前記ショートメッセージ警告モジュールは指定された端末に警告ショートメッセージを送信する。
好ましくは、前記信号ソース装置にも故障記録モジュールが設けられる。
好ましくは、前記信号ソース装置の信号グラウンドと保護グラウンドは別々に設けられる。
【０００９】
本考案に用いられる技術的解決策では、変圧器が、ゼロシーケンス電圧が所定値を超えることを検出した場合、信号ソースは、故障回線の負荷電流に特殊な規律がある１つのＤＣ脈動電流信号を重み合わせ、該特殊な電流が故障回線、接地故障点とアースを流れて信号ソースに戻し、回線に掛かっている故障インジケータが自動的にフロップして、接地故障点の位置するコンセント、分岐及びセグメントを示する。したがって、上記技術的解決策は次の有益な効果を有する。
【００１０】
安全性が高いことであり、信号ソースによって生成された信号が変電所の主変圧器、接地変圧器、アーク抑制コイル及び回線の正常な動作に影響しなく（１つの抵抗性負荷の投入及び遮断に相当）、信号ソースはシステムが正常に動作する時に、一次回線と完全に分離する。同時に、信号ソースによって生成された信号が低周波数且つ純粋な抵抗性であるため、共振を除去し、過電圧を抑制し、システムへの過電圧の損害を軽減することもできる。
【００１１】
精度が高いことであり、信号ソースにより、明らかな特徴を有する電流信号が故障回線に流れ、回線に掛かっている故障インジケータは、該特殊な電流信号を検出した場合のみ、故障を示し、したがって、システムの動作方式、トポロジ構造、中性点接地方式の影響を受けなく、精度が極めて高い。
本考案の具体的な技術的解決策及びその有益な効果は次の具体的な実施形態で図面と組み合わせて詳細に説明される。
【図面の簡単な説明】
【００１２】
以下に図面と具体的な実施形態と組み合わせて本考案をさらに説明する。
【図１】本考案の構造概略図である。
【図２】本考案の故障検出を行うための回路の原理図である。
【考案を実施するための形態】
【００１３】
以下に本考案の実施形態の図面と組み合わせて本考案の実施形態における技術的解決策を明確且つ完全に説明し、明らかに、説明される実施形態は本考案の実施形態の一部だけであり、全ての実施形態ではない。以下に少なくとも１つの例示的な実施形態に対する説明は実際に説明的に過ぎず、本考案及びその応用又は使用に対するいかなる制限として見なされるものではない。本考案における実施形態に基づき、当業者が創造的な労力を要せずに得る全ての他の実施形態は、本考案の保護範囲に属する。
当業者は、下記の実施形態及び実施形態の特徴が、衝突しない場合で、互いに組み合わせられてもよいことを理解することができる。
【００１４】
図１と図２に示すように、配電網接地故障検出システムは、配電網回線に接続されたボックス２、ボックス２内にインストールされた変圧器４、高電圧真空ＡＣコンタクタ３、高圧抵抗器５及び信号ソース装置を備え、前記変圧器４がバスのゼロシーケンス電圧を検出することに用いられ、前記高圧抵抗器５に高電圧ダイオードと直列に接続されて接地する。
【００１５】
信号ソースは、変電所の接地変圧器の中性点（中性点がないとバス／コンセントに接続される）又は回線にインストールされる。図２に示すように、回線のいずれかのポイントに単相（例えばＣ相）接地故障が発生した場合、変圧器４がゼロシーケンス電圧が所定値を超えることを検出すると、対応する相の高電圧真空ＡＣコンタクタが閉じ、これにより、高電圧ダイオードと高圧抵抗器５がアースを介して故障相回線と他の健全相回線の間に接続される。信号ソースは１つのＤＣ脈動電流信号を生成して故障相回線の負荷電流と重み合わせ、前記配電網回線に故障インジケータが設けられ、前記故障インジケータが該ＤＣ脈動電流信号を検出した後に自動的にフロップして、接地故障点の位置するコンセント、分岐及びセグメントを示す。
【００１６】
上記技術的解決策では、信号ソースによって生成された信号が変電所の主変圧器、接地変圧器、アーク抑制コイル及び回線の正常な動作に影響しなく（１つの抵抗性負荷の投入及び遮断に相当）、信号ソースは、システムが正常に動作する時に、一次回線と完全に分離する。同時に、信号ソースによって生成された信号が低周波数且つ純粋な抵抗性であるため、共振を除去し、過電圧を抑制し、システムへの過電圧の損害を軽減することもできる。したがって、安全性が高い。
【００１７】
上記技術的解決策では、信号ソース、明らかな特徴を有する電流信号が故障回線に流れ、回線に掛かっている故障インジケータは、該特殊な電流信号を検出した場合のみ、故障を示し、したがって、システムの動作方式、トポロジ構造、中性点接地方式の影響を受けない。したがって、精度が極めて高い。
【００１８】
さらに、前記高電圧真空ＡＣコンタクタ３には過負荷保を実現するための過負荷保護モジュールが設けられる。かつ、三相高電圧真空ＡＣコンタクタの制御回路は電気的にインターロックされる。
【００１９】
ここで、前記ボックス２はオーバーヘッドポールタワーにインストールされる。前記ボックスの上部には配電網回線を通過させるための壁ブッシング１が設けられる。雷撃防護を実現するために、前記ボックス２には避雷器６がインストールされる。
【００２０】
具体的には、信号ソース装置には遅延回路が設けられ、変圧器が接地故障を検出した場合、遅延回路は１０秒遅延してＤＣ脈動電流信号を発すように信号ソース装置を制御する。信号ソース装置にもショートメッセージ警告モジュールが設けられ、信号ソース装置がＤＣ脈動電流信号を発した後に、前記ショートメッセージ警告モジュールは指定された端末に警告ショートメッセージを送信する。さらに、信号ソース装置にも故障記録モジュールが設けられる。信号ソース装置の信号グラウンドと保護グラウンドは別々に設けられる。
【００２１】
上記は、本考案の具体的な実施形態だけであるが、本考案の保護範囲はこれに限定されなく、当業者は、本考案が以上の具体的な実施形態で説明される内容を含むがこれに限定されないことを理解すべきである。本考案の機能と構造原理から逸脱しない如何なる修正は全て特許請求の範囲に含まれる。
【符号の説明】
【００２２】
１−壁ブッシング
２−ボックス
３−高電圧真空ＡＣコンタクタ
４−変圧器
５−高圧抵抗器
６−避雷器
【図１】
0003228002.tif 000003
【図２】
0003228002.tif 000004